(57)【要約】      （修正有）【課題】  発光駆動用トランジスタのスレッショルド電圧のばらつきに起因する各画素間の輝度むらを抑制する。【解決手段】  有機ＥＬ素子Ｅ1 と発光駆動用トランジスタＴr1、データ書き込み用トランジスタＴr2、発光維持用コンデンサＣ1 における電荷を消去することができる消去用トランジスタＴr3を備えたＳＥＳ駆動方式の画素構成に、補正電圧保持用コンデンサＣ2 、補正電圧書き込み用トランジスタＴr4、スイッチング用トランジスタＴr5が加えられている。トランジスタＴr3のオン動作に伴い、トランジスタＴr4がオンされ、トランジスタＴr5はオフされる。この状態で、コンデンサＣ2 にはトランジスタＴr1のスレッショルド電圧（Ｖth）が書き込まれる。画素が点灯される場合においては、コンデンサＣ1 に書き込まれたデータ電圧に、コンデンサＣ2 に書き込まれたスレッショルド電圧を加算したゲート・ソース間電圧により、トランジスタＴr1のドレイン電流が流れる。【選択図】  図３
2006058800.tif 000002
【特許請求の範囲】
【請求項１】
データ信号に対応して発光維持用コンデンサを充電するデータ書き込み用トランジスタと、前記発光維持用コンデンサへの充電電圧に基づいて発光素子に対して駆動電流を供給する発光駆動用トランジスタと、前記発光維持用コンデンサに充電された充電電圧を放電させることができる消去用トランジスタとを備えた構成の画素を多数配列してなる発光表示装置であって、
前記消去用トランジスタがオン動作されるタイミングにおいて、前記発光駆動用トランジスタのゲート・ドレイン間を短絡する補正電圧書き込み用トランジスタと、当該トランジスタの短絡動作により前記発光駆動用トランジスタのゲート・ソース間に発生するスレッショルド電圧が書き込まれる補正電圧保持用コンデンサがさらに具備され、
前記発光駆動用トランジスタは前記発光維持用コンデンサと前記補正電圧保持用コンデンサに充電された両充電電圧に基づいて、前記発光素子に対して駆動電流を供給するように構成したことを特徴とする発光表示装置。
【請求項２】
前記発光駆動用トランジスタと発光素子との間に、スイッチング用トランジスタが直列に接続され、前記補正電圧書き込み用トランジスタが前記発光駆動用トランジスタのゲート・ドレイン間を短絡する状態において、前記スイッチング用トランジスタがカットオフ状態に制御されるように構成したことを特徴とする請求項１に記載の発光表示装置。
【請求項３】
前記消去用トランジスタと補正電圧書き込み用トランジスタとは同一チャンネルのＴＦＴにより構成され、前記スイッチング用トランジスタは前記二つのＴＦＴとは異なるチャンネルのＴＦＴにより構成され、かつ前記消去用トランジスタ、前記補正電圧書き込み用トランジスタ、前記スイッチング用トランジスタの各ゲートは共通接続されていることを特徴とする請求項２に記載の発光表示装置。
【請求項４】
前記発光素子は、少なくても一層以上の発光機能層を有する有機ＥＬ素子によって構成されていることを特徴とする請求項１ないし請求項３のいずれか１項に記載の発光表示装置。
【請求項５】
請求項１ないし請求項４のいずれか１項に記載の発光表示装置を搭載したことを特徴とする電子機器。
【請求項６】
データ信号に対応して発光維持用コンデンサを充電するデータ書き込み用トランジスタと、前記発光維持用コンデンサへの充電電圧に基づいて発光素子に対して駆動電流を供給する発光駆動用トランジスタと、前記発光維持用コンデンサに充電された充電電圧を放電させることができる消去用トランジスタとを備えた構成の画素を多数配列してなる発光表示装置の駆動方法であって、
前記消去用トランジスタがオン動作されるタイミングにおいて、前記発光駆動用トランジスタのゲート・ドレイン間を短絡させて、当該発光駆動用トランジスタのゲート・ソース間に発生するスレッショルド電圧を補正電圧保持用コンデンサに書き込む第１ステップと、
前記補正電圧保持用コンデンサに書き込まれた前記スレッショルド電圧と、前記データ信号に対応して発光維持用コンデンサに充電された電圧とに基づいて、前記発光駆動用トランジスタにより前記発光素子に対して発光駆動電流を供給する第２ステップと、
を順次繰り返して実行することを特徴とする発光表示装置の駆動方法。
【請求項７】
前記消去用トランジスタがオン動作されるタイミングにおいて、補正電圧書き込み用トランジスタにより前記発光駆動用トランジスタのゲート・ドレイン間を短絡状態にして、前記スレッショルド電圧を補正電圧保持用コンデンサに書き込むと共に、前記発光駆動用トランジスタと発光素子との間に直列に接続されたスイッチング用トランジスタをカットオフ状態に制御することを特徴とする請求項６に記載の発光表示装置の駆動方法。
【発明の詳細な説明】
【技術分野】
【０００１】
この発明は、画素を構成する発光素子を例えばＴＦＴ（Thin Film Transistor）によってアクティブ駆動させる発光表示装置に関し、特に前記発光素子の個々に駆動電流を与える発光駆動用トランジスタの特性のばらつきに起因して発生する各画素間の輝度むらを効果的に抑制させることができる発光表示装置に関する。
【背景技術】
【０００２】
携帯電話機や携帯型情報端末機（ＰＤＡ）などの普及によって、高精細な画像表示機能を有し、薄型かつ低消費電力を実現することができる表示パネルの需要が増大しており、従来より液晶表示パネルがその要求を満たすものとして多くの製品に採用されてきた。一方、昨今においては自発光型表示素子であるという特質を生かした有機ＥＬ素子を利用した発光表示パネルが製品化され、これが従来の液晶表示パネルに代わる次世代の表示パネルとして注目されている。これは素子の発光層に、良好な発光特性を期待することができる有機化合物を使用することによって、実用に耐え得る高効率化および長寿命化が進んだことも背景にある。
【０００３】
前記した有機ＥＬ素子は、基本的にはガラス等の透明基板上に、例えばＩＴＯによる透明電極と発光機能層と金属電極とが順次積層されることで構成されている。そして、前記発光機能層は、有機発光層の単一層、あるいは有機正孔輸送層と有機発光層からなる二層構造、または有機正孔輸送層と有機発光層および有機電子輸送層からなる三層構造、さらにこれらの適切な層間に電子もしくは正孔の注入層を挿入した多層構造になされる場合もある。
【０００４】
前記した有機ＥＬ素子は、電気的にはダイオード特性を有する発光エレメントと、この発光エレメントに並列に結合する寄生容量成分とによる構成に置き換えることができ、有機ＥＬ素子は容量性の発光素子であると言うことができる。この有機ＥＬ素子は、発光駆動電圧が印加されると、先ず、当該素子の電気容量に相当する電荷が電極に変位電流として流れ込み蓄積される。続いて当該素子固有の一定の電圧（発光閾値電圧＝Ｖth）を越えると、一方の電極（ダイオード成分のアノード側）から発光層を構成する有機層に電流が流れ初め、この電流に比例した強度で発光すると考えることができる。
【０００５】
かかる有機ＥＬ素子を用いた表示パネルとして、ＥＬ素子を単にマトリクス状に配列したパッシブマトリクス型表示パネルと、マトリクス状に配列したＥＬ素子の各々に、例えばＴＦＴからなる能動素子を加えたアクティブマトリクス型表示パネルが提案されている。後者のアクティブマトリクス型表示パネルは、前者のパッシブマトリクス型表示パネルに比べて、低消費電力化を実現することができ、また画素間のクロストークが少ない等の特質を備えており、特に大画面を構成する高精細度のディスプレイに適している。
【０００６】
図１は、既に提案されているアクティブマトリクス型表示パネルにおける１つの画素１０に対応する回路構成の例を示している。なお、この図１に示す画素１０の回路構成は、時分割階調表現を実現するＳＥＳ（Simultaneous Erasing Scan ）方式と呼ばれる点灯駆動方法を採用した例を示している。
【０００７】
この画素１０の構成においては、データドライバ１１からの映像信号に対応したデータ信号Ｖdataが、表示パネルに配列されたデータ線を介して走査選択トランジスタ、すなわちデータ書き込み用トランジスタＴr2のソースＳに供給されるように構成されている。また、前記データ書き込み用トランジスタＴr2のゲートＧには、走査ドライバ１２から走査選択線を介してデータ書き込み信号Write が供給されるように構成されている。
【０００８】
前記データ書き込み用トランジスタＴr2のドレインＤは、発光駆動用トランジスタＴr1のゲートＧに接続されると共に、発光維持用コンデンサＣ1 の一方の端子に接続されている。また、発光駆動用トランジスタＴr1のソースＳは、前記コンデンサＣ1 の他方の端子に接続されると共に、アノード側駆動電源Ｖａに接続されている。さらに、発光駆動用トランジスタＴr1のドレインＤは、発光素子としての有機ＥＬ素子Ｅ1 のアノード端子に接続され、この有機ＥＬ素子Ｅ1 のカソード端子は、カソード側駆動電源Ｖｃに接続されている。
【０００９】
さらに、図１に示す画素構成においては消去用トランジスタＴr3が備えられ、この消去用トランジスタＴr3のゲートには、消去信号線を介して消去ドライバ１３より消去信号Erase が供給されるように構成されている。そして、消去用トランジスタＴr3のソースＳおよびドレインＤが、前記発光維持用コンデンサＣ1 の各端部にそれぞれ接続されている。
【００１０】
なお、図１に示す画素１０においては、発光駆動用トランジスタＴr1のみがｐチャンネル型ＴＦＴにより構成され、他はｎチャンネル型ＴＦＴにより構成されている。そして、前記した構成の画素１０は、行および列方向にマトリクス状に多数配列されて表示パネルが構成されている。
【００１１】
図１に示した画素１０の構成において、データ書き込み用トランジスタＴr2のゲートには、アドレス期間において走査ドライバ１２より走査信号としてのオン電圧Write が供給される。これにより、データ書き込み用トランジスタＴr2のソース・ドレインを介して、データドライバ１１から供給されるデータ信号Ｖdataに対応した電流が発光維持用コンデンサＣ1 に流れ、コンデンサＣ1 は充電される。そして、その充電電圧が発光駆動用トランジスタＴr1のゲートに供給されて、トランジスタＴr1はそのゲート電圧と、ソースに供給される駆動電源Ｖａに基づくゲート・ソース間電圧（Ｖgs）に対応したドレイン電流Ｉd をＥＬ素子Ｅ1 に流し、これによりＥＬ素子Ｅ1 は発光する。
【００１２】
そして、アドレス期間が経過してデータ書き込み用トランジスタＴr2のゲートがオフ電圧になると、トランジスタＴr2はいわゆるカットオフ状態となる。しかしながら、コンデンサＣ1 に蓄積された電荷により発光駆動用トランジスタＴr1のゲート電圧が保持され、これによりＥＬ素子Ｅ1 への駆動電流が維持される。したがって、ＥＬ素子Ｅ1 は次のアドレス動作に至る期間（例えば、次の１フレーム期間もしくは次の１サブフレーム期間）まで、前記データ信号Ｖdataに対応した点灯状態を継続することができる。
【００１３】
一方、前記ＥＬ素子Ｅ1 の点灯期間の途中（例えば、１フレーム期間もしくは１サブフレーム期間の途中）において、前記消去ドライバ１３より消去用トランジスタＴr3をオンさせる消去信号Erase が供給されるように構成されている。この消去用トランジスタＴr3がオン動作した場合には、コンデンサＣ1 にチャージされている電荷は瞬時に消去（放電）され、この結果、発光駆動用トランジスタＴr1はカットオフ状態となり、ＥＬ素子Ｅ1 は直ちに消灯される。
【００１４】
換言すれば、消去ドライバ１３からのゲートオン電圧の出力タイミングを制御することで、例えば１フレームもしくは１サブフレーム期間内における前記ＥＬ素子Ｅ1 の点灯期間が制御され、これにより多階調表現を実現することができる。なお、前記したようにデータ書き込み用トランジスタＴr2と発光駆動用トランジスタＴr1に加えて、消去用トランジスタＴr3を備えた画素の構成は、次に示す特許文献１に開示されている。
【特許文献１】特開２００１−３４３９３３号公報
【発明の開示】
【発明が解決しようとする課題】
【００１５】
ところで、前記した有機ＥＬ素子に代表されるこの種の多くの発光素子は、駆動電流に対応して発光輝度が決定される電流依存性を有している。一方、前記した画素構成に用いられる発光駆動用トランジスタにおいては、ゲート・ソース間電圧Ｖgsに対するドレイン電流Ｉd の特性、特にドレイン電流Ｉd が流れ始めるゲート・ソース間電圧Ｖgs、すなわちスレッショルド（閾値）特性にばらつきが発生する。これにより、同一レベルのデータ信号Ｖdataを供給しているにもかかわらず、画素間で発光輝度にばらつきが発生する結果となる。
【００１６】
この様な画素間における発光輝度のばらつきは、特に動画画像を再生する場合などにおいて、不定形な縞模様やちらつきに似たような現象を発生させるなどして表示品質を著しく下げるという問題が抱えている。そこで、前記した問題を解消するには表示パネルに形成されるＴＦＴの特性を揃えることが必要であり、この点については従来より種々の検討および開発がなされている。しかしながら、これには半導体素材やその他の素材の選択の問題、製造プロセスの問題、製造環境の問題などを含めて数多くの技術的な課題が存在しており、根本的な解決を求めることは困難である。
【００１７】
この発明は、前記した技術的な観点に基づいてなされたものであり、発光画素を構成する発光駆動用トランジスタのスレッショルド特性を各画素内において補正することで、画素間において生ずる発光輝度のばらつきを抑制し得る画素回路を備えた発光表示装置を提供しようとするものであり、特に先に説明したＳＥＳ駆動方式の構成に対して好適に採用し得る画素回路を備えた発光表示装置およびその駆動方法を提供することを課題とするものである。
【課題を解決するための手段】
【００１８】
前記した課題を解決するためになされたこの発明にかかる発光表示装置は、請求項１に記載のとおり、データ信号に対応して発光維持用コンデンサを充電するデータ書き込み用トランジスタと、前記発光維持用コンデンサへの充電電圧に基づいて発光素子に対して駆動電流を供給する発光駆動用トランジスタと、前記発光維持用コンデンサに充電された充電電圧を放電させることができる消去用トランジスタとを備えた構成の画素を多数配列してなる発光表示装置であって、前記消去用トランジスタがオン動作されるタイミングにおいて、前記発光駆動用トランジスタのゲート・ドレイン間を短絡する補正電圧書き込み用トランジスタと、当該トランジスタの短絡動作により前記発光駆動用トランジスタのゲート・ソース間に発生するスレッショルド電圧が書き込まれる補正電圧保持用コンデンサがさらに具備され、前記発光駆動用トランジスタは前記発光維持用コンデンサと前記補正電圧保持用コンデンサに充電された両充電電圧に基づいて、前記発光素子に対して駆動電流を供給するように構成した点に特徴を有する。
【００１９】
また前記した課題を解決するためになされたこの発明にかかる発光表示装置の駆動方法は、請求項６に記載のとおり、データ信号に対応して発光維持用コンデンサを充電するデータ書き込み用トランジスタと、前記発光維持用コンデンサへの充電電圧に基づいて発光素子に対して駆動電流を供給する発光駆動用トランジスタと、前記発光維持用コンデンサに充電された充電電圧を放電させることができる消去用トランジスタとを備えた構成の画素を多数配列してなる発光表示装置の駆動方法であって、前記消去用トランジスタがオン動作されるタイミングにおいて、前記発光駆動用トランジスタのゲート・ドレイン間を短絡させて、当該発光駆動用トランジスタのゲート・ソース間に発生するスレッショルド電圧を補正電圧保持用コンデンサに書き込む第１ステップと、前記補正電圧保持用コンデンサに書き込まれた前記スレッショルド電圧と、前記データ信号に対応して発光維持用コンデンサに充電された電圧とに基づいて、前記発光駆動用トランジスタにより前記発光素子に対して発光駆動電流を供給する第２ステップとを順次繰り返して実行することを特徴とするものである。
【発明を実施するための最良の形態】
【００２０】
以下、この発明にかかる発光表示装置およびその駆動方法について、図に示す実施の形態に基づいて説明する。図２〜図４はいずれもこの発明にかかる発光表示装置の実施の形態を示したものであり、図２はその１つの画素１０の構成を説明するものである。また、図３は同じ画素構成において補正電圧を書き込む状態を説明するものであり、さらに図４は同じ画素構成においてデータ書き込みを行なう状態、およびこれに続く発光素子としてのＥＬ素子を発光駆動させる状態を示している。
【００２１】
まず、図２に示す構成において、データドライバ１１、走査ドライバ１２、消去ドライバ１３、発光駆動用トランジスタＴr1、データ書き込み用トランジスタＴr2、消去用トランジスタＴr3、発光維持用コンデンサＣ1 、発光素子としての有機ＥＬ素子Ｅ1 、アノード側駆動電源Ｖａ、カソード側駆動電源Ｖｃは、それぞれすでに説明した図１示す各構成要素と同一機能を果たすものである。したがって、前記した個々の説明は省略する。
【００２２】
図２に示す画素１０の構成においては、消去用トランジスタＴr3のドレイン、すなわち発光維持用コンデンサＣ1 の一方の端子と、発光駆動用トランジスタＴr1のゲートとの間に、補正電圧保持用コンデンサＣ2 が介在されている。また、図２に示す画素構成においては、前記発光駆動用トランジスタＴr1のゲートとドレイン間にｎチャンネル型ＴＦＴにより構成された補正電圧書き込み用トランジスタＴr4のドレインおよびソースが接続されている。
【００２３】
さらに図２に示す画素構成においては、前記発光駆動用トランジスタＴr1のドレインとＥＬ素子のアノード端子との間にｐチャンネル型ＴＦＴにより構成されたスイッチング用トランジスタＴr5のソースおよびドレインが直列に接続されている。そして、前記した補正電圧書き込み用トランジスタＴr4のゲート、およびスイッチング用トランジスタＴr5のゲートは、好ましくは破線で示すように消去用トランジスタＴr3のゲートに共通接続され、前記した消去ドライバ１３よりもたらされる消去信号Erase によって、それぞれオンもしくはオフ制御がなされるように構成されている。
【００２４】
すなわち、ｎチャンネル型ＴＦＴにより構成された前記消去用トランジスタＴr3と、前記補正電圧書き込み用トランジスタＴr4とは、前記消去ドライバ１３よりもたらされる消去信号Erase がレベル“Ｈ”の状態において共にオン状態になされる。この時、ｐチャンネル型ＴＦＴにより構成された前記スイッチング用トランジスタＴr5はオフ状態になされる。また、前記消去信号Erase がレベル“Ｌ”の状態においては、消去用トランジスタＴr3と補正電圧書き込み用トランジスタＴr4とは共にオフ状態になされ、スイッチング用トランジスタＴr5はオン状態になされる。
【００２５】
図３は先に説明したとおり、補正電圧を書き込む状態を説明するものであり、この場合においては消去ドライバからの消去信号Erase はレベル“Ｈ”になされる。また、この状態においては走査ドライバからのデータ書き込み信号Write はレベル“Ｌ”の状態になされる。したがって、消去用トランジスタＴR3および補正電圧書き込み用トランジスタＴr4は共にオン状態になされ、データ書き込み用トランジスタＴr2およびスイッチング用トランジスタＴr5は共にオフ状態になされる。
【００２６】
これにより、前記発光維持用コンデンサＣ1 の両端部は消去用トランジスタＴR3により短絡されて、補正電圧保持用コンデンサＣ2 の一端はアノード側駆動電源Ｖａに接続される。換言すれば、前記補正電圧保持用コンデンサＣ2 の各端子は、それぞれ発光駆動用トランジスタＴr1のゲートとソース間に接続されることになる。この時、発光駆動用トランジスタＴr1のゲートとドレイン間は、前記した補正電圧書き込み用トランジスタＴr4により短絡されている。したがって、補正電圧保持用コンデンサＣ2 と発光駆動用トランジスタＴr1とは、図３の左下に鎖線で囲んだ等価回路の状態になされる。
【００２７】
その等価回路から理解されるとおり、前記補正電圧保持用コンデンサＣ2 には、発光駆動用トランジスタＴr1におけるスレッショルド（閾値）電圧（Ｖth）が書き込まれる。なお、この状態においては、発光駆動用トランジスタＴr1には僅かにドレイン電流が流れ始めるバイアス状態になされるため、前記スイッチング用トランジスタＴr5は前記したとおりオフになされ、発光素子としてのＥＬ素子Ｅ1 に前記ドレイン電流が供給されるのを阻止するようになされる。
【００２８】
続いて図４はデータ書き込みを行なう状態を示しており、この状態においては消去ドライバからの消去信号Erase はレベル“Ｌ”になされる。また、この状態においては走査ドライバからのデータ書き込み信号Write はレベル“Ｈ”の状態になされる。したがって、消去用トランジスタＴR3および補正電圧書き込み用トランジスタＴr4は共にオフ状態になされ、データ書き込み用トランジスタＴr2およびスイッチング用トランジスタＴr5は共にオン状態になされる。
【００２９】
この時、データドライバからは画素を点灯制御させる場合においては、データ信号Ｖdataとしてレベル“Ｈ”が供給され、画素を消灯制御させる場合においては、レベル“Ｌ”が供給される。したがって、発光維持用コンデンサＣ1 における端子電圧、すなわちコンデンサＣ1 における補正電圧保持用コンデンサＣ2 との接続点の電位は、画素を点灯させる場合においては、レベル“Ｌ”になされ、画素を消灯させる場合においては、レベル“Ｈ”になされる。
【００３０】
ここで、例えば画素が点灯される場合においては、発光維持用コンデンサＣ1 に書き込まれたレベル“Ｌ”の端子電圧に、補正電圧保持用コンデンサＣ2 に書き込まれた発光駆動用トランジスタのスレッショルド電圧（Ｖth）が加算され、これが発光駆動用トランジスタＴr1のゲート・ソース間に供給されることになる。
【００３１】
すなわち、発光維持用コンデンサＣ1 に書き込まれたデータ電圧に、前記したスレッショルド電圧（Ｖth）が加算されることで、発光駆動用トランジスタＴr1における個々のスレッショルド電圧のばらつきが補正されたデータ電圧が発光駆動用トランジスタＴr1のゲート・ソース間に供給されることになる。
【００３２】
したがって、発光駆動用トランジスタＴr1のスレッショルド電圧にたとえばらつきが存在しても、各画素は発光維持用コンデンサＣ1 に書き込まれたデータ電圧にしたがって各ＥＬ素子Ｅ1 の点灯動作を実行することになる。これにより、各画素間においては発光駆動用トランジスタのスレッショルド電圧のばらつきに起因する発光輝度のばらつきが抑制された状態で点灯動作がなされる。
【００３３】
これに加えて、この実施の形態においてはすでに説明したとおり、例えば１フレーム期間もしくは１サブフレーム期間の途中において、消去ドライバより消去用トランジスタＴr3をオンさせる消去信号Erase が供給され、これにより多階調表現を実現することができる。このように消去用トランジスタＴr3をオンさせるタイミングにおいて、図３に基づいて説明したように補正電圧保持用コンデンサＣ2 に対して再び発光駆動用トランジスタのスレッショルド電圧を書き込む動作が実行される。そして、以下図３および図４に基づいて説明した動作の繰り返しにより、画素の点灯動作が継続される。
【００３４】
以上の説明で明らかなように、この発明にかかる発光表示装置およびその駆動方法によると、発光駆動用トランジスタのスレッショルド電圧のばらつきを補正することができるので、各画素間における発光輝度のばらつきの発生を効果的に抑えることができる。これにより、不定形な縞模様やちらつきに似たような現象を発生させるなど、表示品質を著しく下げるという問題を解消させることができる。
【００３５】
また、実施の形態として示したＳＥＳ駆動方式の画素構成に、この発明を採用した場合においては、前記した補正電圧書き込み用トランジスタ、およびスイッチング用トランジスタのゲート電圧を制御する信号線を格別に配設する必要はない。また、消去用トランジスタによる発光維持用コンデンサの電荷の消去動作と同時に、補正電圧保持用コンデンサに対してスレッショルド電圧の書き込み動作を実行することができるので、その動作が合理的であり、画素の点灯制御も容易になし得る。
【００３６】
なお、以上説明した実施の形態においては、発光素子として有機ＥＬ素子を用いているが、この発光素子は有機ＥＬ素子に限らず、駆動電流に対応して発光輝度が決定される電流依存性の発光素子を利用した場合においても、前記と同様の作用効果を得ることができる。そして、前記した発光表示装置は冒頭に記述した携帯電話機や携帯型情報端末機のほか、この種の表示装置を必要とする種々の電子機器に採用することによって、すでに説明した作用効果をそのまま享受することができる。
【図面の簡単な説明】
【００３７】
【図１】従来のＳＥＳ駆動方式の画素構成を示した回路構成図である。
【図２】この発明にかかる発光光表示装置において採用される画素構成の例を示した回路構成図である。
【図３】図２に示す画素構成において補正電圧を書き込む状態を説明する図である。
【図４】同じく図２に示す画素構成においてデータ書き込みを行なう状態を説明する図である。
【符号の説明】
【００３８】
１０    画素
１１    データドライバ
１２    走査ドライバ
１３    消去ドライバ
Ｃ1     発光維持用コンデンサ
Ｃ2     補正電圧保持用コンデンサ
Ｅ1     発光素子（有機ＥＬ素子）
Ｔr1    発光駆動用トランジスタ
Ｔr2    データ書き込み用トランジスタ（走査選択トランジスタ）
Ｔr3    消去用トランジスタ
Ｔr4    補正電圧書き込み用トランジスタ
Ｔr5    スイッチング用トランジスタ
【図１】
2006058800.tif 000003
【図２】
2006058800.tif 000004
【図３】
2006058800.tif 000005
【図４】
2006058800.tif 000006